(57)【要約】マスカラ組成物と処理装置とを備えた化粧製品。加熱によりマスカラ組成物を軟化させてこれを睫毛に塗布する。マスカラ組成物は室温で固形であるが、高い温度では軟化して睫毛に塗布できる。処理装置はアプリケータを備え、マスカラ組成物を受け取って、加熱により軟化させ、こえを睫毛に塗布する。軟化したマスカラ組成物を睫毛に塗布すると、マスカラ組成物は雰囲気により急速に冷却されて固化する。睫毛に塗布されたマスカラ組成物は睫毛を覆う強固な膜を形成し、体温では軟化することがなく優れた耐久性を与える。アプリケータに着脱自在のキャップにはマスカラ組成物を一つずつアプリケータに送り出す装填機構が備えられる。
2008520253.tif 000002
【特許請求の範囲】
【請求項１】
少なくとも固形疎水性成分を有すマスカラ組成物と処理装置とで構成された化粧製品であって、
a)  上記のマスカラ組成物は
i)ＡＳＴＭのテスト方式Ｄ５に基づいて測定された針貫通値が25℃で約1〜約40；
ii)降伏応力が25℃で少なくとも1500Ｐａ；
iii)粘度が100℃で約１ｍＰａ〜10,000,000mPaであり、
b)  上記の装置は
使用者に把持されるグリップと、
上記グリップに支持されたアプリケータとで構成され、
上記アプリケータはマスカラ組成物を受け取ってこれを使用者の睫毛に付与するように構成され、
上記アプリケータは長さを有する長尺体であり、上記マスカラ組成物を加熱により軟化させるために上記長手方向軸に沿って延出するヒーターとコームを備え、このコームは上記の長手方向軸に沿って配列されて軟化したマスカラ組成物で濡らされ、これを睫毛に供給するようになったことを特徴とする化粧製品。
【請求項２】
上記マスカラ組成物は油性混合物であることを特徴とする請求項１に記載の化粧製品。
【請求項３】
上記のマスカラ組成物は、水と乳化剤を含む油中水型エマルジョンであることを特徴とする請求項１に記載の化粧製品。
【請求項４】
上記のマスカラ組成物は、顔料を含むことを特徴とする請求項１に記載の化粧製品。
【請求項５】
上記のマスカラ組成物は、膜形成ポリマーを含むことを特徴とする請求項１に記載の化粧製品。
【請求項６】
上記アプリケータに装着されるキャップが備えられ、このキャップはマスカラ組成物を保持し、
上記キャップに装填手段が設けられ、この装填手段は複数のマスカラ組成物の個片を保持し、個片を一個ずつ上記アプリケータに装填することを特徴とする請求項１に記載の化粧製品。
【請求項７】
上記キャップは上記アプリケータの周りに装着される鞘を備え、この鞘に上記アプリケータに連通する開口が形成され、
上記装填手段は複数の充填室を有するキャリアを備え、各充填室にそれぞれマスカラ組成物の上記個片が保持され、
上記キャリアが上記鞘に対して移動自在となり、複数の充填室の一つを、上記開口へ選択的に合致させることで、上記のマスカラ組成物の個片が上記開口を介して上記アプリケータへ装填されることを特徴とする請求項１に記載の化粧製品。
【請求項８】
上記鞘は上記アプリケータに対して回転不能に固定されて、上記アプリケータの長さに沿って延びる軸を有し、
上記キャリアは上記鞘と同軸となったスリーブであり、上記の充填室が上記の軸の周りの周方向に沿って配列され、
上記スリーブが上記軸の周りで上記鞘に対して回転自在となったことを特徴とする請求項７に記載の化粧製品。
【請求項９】
上記のスリーブはそれぞれ上記の充填室を閉じる複数のゲートを備え、
各ゲートは移動自在となって対応する充填室を開くことで上記のマスカラ組成物の個片を上記アプリケータへ装填することを特徴とする請求項８に記載の化粧製品。
【請求項１０】
上記開口に常閉のフラップ弁が設けられ、
上記装填手段はプランジャを備え、上記マスカラ組成物の個片を押し込んで上記フラップ弁を一時的に開いて、これを上記アプリケータへ装填することを特徴とする請求項８に記載の化粧製品。
【請求項１１】
上記鞘は上記アプリケータに対して回転不能に固定されて、上記アプリケータの長さに沿って延びる軸を有し、
上記キャリアは、上記鞘の軸と直交する上下軸の周りで上記鞘に対して回転自在のディスクであり、この上下軸を中心とする周方向にそって上記の複数の充填室が配置されたことを特徴とする請求項７に記載の化粧製品。
【請求項１２】
上記装填手段は上記鞘の開口を通常閉じるゲートを備え、
上記ゲートは開放位置へ移動可能となって、上記マスカラ組成物の個片を上記の充填室から上記アプリケータへ装填させることを特徴とする請求項１１に記載の化粧製品。
【請求項１３】
上記マスカラ組成物の個片がそれぞれ各充填室内へ破断可能なシールで保持され、
上記装填手段がプランジャを備え、プランジャは上記マスカラ組成物の個片を押しつけて上記の破断可能なシールを破って、これを上記アプリケータへ装填することを特徴とする請求項１１に記載の化粧製品。
【請求項１４】
上記開口が上記の鞘の軸に沿って長く形成され、
上記ディスクに形成した複数の上記充填室は周方向並びに直径方向に沿って配置され、半径方向に沿って並ぶ一組の充填室が上記の軸方向に沿って並ぶ開口に合致することを特徴とする請求項１１に記載の化粧製品。
【請求項１５】
請求項６に記載の化粧製品において、
上記キャップは、上記アプリケータの周りに装着される鞘と管体とを備え、この管体は上記アプリケータの長さ方向に沿って延出して長尺の充填室を内部に規定し、この充填室にマスカラ組成物の個片を直列に収容し、
上記鞘に開口が形成され、この開口を介して上記の充填室の長さ方向の一端が上記アプリケータに連通し、
上記開口に常閉のフラップ弁が設けられて、
上記装填手段はネジ式ピストンであるフィーダーを備え、このネジ式ピストンがマスカラ組成物の個片を上記充填室内で上記開口へ向けて押しだし、
上記装填手段は更にプランジャが設けられ、このプランジャが上記開口での個片をフラップ弁に対して押しつけてフラップ弁を一時的に開くことで、マスカラ組成物の個片をこの開口を介して上記アプリケータへ装填することを特徴とする請求項６に記載の化粧製品。
【請求項１６】
上記キャップは、上記アプリケータの周りに装着される鞘と管体とを備え、この管体に上記アプリケータの長さ方向に沿って延出する充填室１５２が形成されて、この充填室に上記マスカラ組成物の個片を直列に収容し、
上記鞘に開口が形成され、この開口を介して上記の充填室の長さ方向の一端が上記アプリケータに連通し、
上記開口に常閉のフラップ弁が設けられて、
上記装填手段にバネ付勢式ピストンであるフィーダーが設けられ、このバネ付勢式ピストンがマスカラ組成物の個片を上記充填室内で上記開口へ向けて押し出し、
上記装填手段には更にプランジャが設けられ、このプランジャが上記開口での個片をフラップ弁に対して押しつけてフラップ弁を一時的に開くことで、マスカラ組成物の個片をこの開口を介して上記アプリケータへ装填することを特徴とする請求項６に記載の化粧製品。
【請求項１７】
上記キャップは、上記アプリケータの周りに装着される鞘を備え、この鞘に上記アプリケータの長さ方向に沿って延出する充填室１６２が形成され、
上記の鞘の長手方向の一端に開口が形成されて、この開口を介して上記の充填室が上記のアプリケータに連通し、
上記装填手段は、上記鞘の長手方向の他端に形成したホッパー１６６を備えて、ペレット状の上記個片を収容し、
上記装填手段はネジ式コンベアを備え、このコンベアは上記の充填室内で延出して、上記ホッパーから上記のペレットを上記開口へ搬送して、これを上記アプリケータへ装填することを特徴とする請求項６に記載の化粧製品。
【請求項１８】
使用者の手で把持するグリップと、
上記グリップに支持されてマスカラ組成物を受けてこれを使用者の睫毛に与えるアプリケータと、
上記アプリケータに装着されてマスカラ組成物を保持するキャップとで構成され、
上記キャップに装填手段が設けられ、この装填手段は複数のマスカラ組成物の個片を保持し、個片を一個ずつ上記アプリケータに供給することを特徴とする睫毛処理装置。
【請求項１９】
室温で固形のマスカラ組成物を加熱により軟化させて睫毛に直接塗布することにより、マスカラ組成物を睫毛に塗布する方法。
【請求項２０】
上記のマスカラ組成物は、
i)ＡＳＴＭのテスト方式Ｄ５に基づいて測定された針貫通値が25℃で約1〜約40；
ii)降伏応力が25℃で少なくとも1500Ｐａ；
iii)粘度が100℃で約1ｍＰａ〜10,000,000mPaであり、
上記方法は、以下の構成の加熱装置を使用し、
使用者に把持されるグリップ；
上記グリップに支持されたアプリケータ、このアプリケータはマスカラ組成物を受け取ってこれを使用者の睫毛に付与するように構成され、
上記アプリケータは長さを有する長尺体であり、以下を備える
上記マスカラ組成物を加熱により軟化させるために上記長手方向軸に沿って延出するヒータ、 
上記アプリケータから突出するコーム、このコームは上記の長手方向軸に沿って配列されて軟化したマスカラ組成物で濡らされる；
これにより、加熱装置からの熱で軟化したマスカラ組成物が睫毛に与えられることを特徴とする請求項１９に記載のマスカラ組成物を睫毛に塗布する方法。
【請求項２１】
上記マスカラ組成物をアプリケータに当ててこれを軟化させ、軟化させたマスカラ組成物をアプリケータに保持してコームをマスカラ組成物で濡らし、
アプリケータを動かして、コームで梳くことでマスカラ組成物を睫毛に塗布し、
アプリケータを睫毛から離して軟化したマスカラ組成物を冷却させて睫毛にマスカラ組成物の固形膜を与えることを特徴とする請求項２０に記載のマスカラ組成物を睫毛に塗布する方法。
【発明の詳細な説明】
【技術分野】
【０００１】
本発明は、マスカラ組成物及び睫毛処理装置を備えた化粧製品に関するものであり、睫毛処理装置で発生する熱によりマスカラ組成物を流動化させることでマスカラ組成物が睫毛に塗布される。
【背景技術】
【０００２】
マスカラ製品は、睫毛にコートを与えることで、厚み、長さ、色を与えて各自の睫毛を形作ることで人の目の美しさを高めるために使用されている。過去６０年に亘って、マスカラ製品は、ハンドルに取り付けられたアプリケータブラシを備えたマスカラアプリケータとして提供されており、液体乃至半固形のマスカラ組成物を含む例えばチューブのような容器にアプリケータブラシの先端を浸すものである。マスカラ組成物は、通常、水やその他の揮発性キャリアにワックスと顔料を分散させたエマルジョンである。マスカラ組成物及びその転送システムは、エマルジョンや溶液化学によって制限を受け、ウェット状態で塗布された後に乾燥されてマスカラの膜を形成することで睫毛をセットして維持させる。
【０００３】
液体乃至半固形のマスカラ組成物は、低粘度性能及び低い降伏点を示すことから、睫毛に塗布した後に、にじみや汚れを起こしやすい。組成物内に分散した、例えば、ワックスのような固形成分は、膜の平滑さがないことからかたまりとなり、塗布が難しい。
【０００４】
他の面でいえば、時間通りに蒸発しない溶剤や組成物のキャリアもまた、睫毛への塗布後に、にじみや汚れを起こすものである。所謂水に強いマスカラは、揮発性の炭化水素溶剤を使用してこの問題を解決することを意図している。このような揮発性の炭化水素溶剤は、保存性がよいものの、使用性の点や美しさの点を犠牲にするものである。更に、揮発性炭化水素溶剤は臭いや安全性の面を考慮することが必要である。
【０００５】
使用性能が良くて耐久性が高いマスカラ組成物を提供するための一つの解決策は、固形の組成物を作りだすことであり、この場合、組成物は睫毛に適用する前に加熱されて、使用時に軟化或いは平滑化される。このような加熱は、また、適用後の揮発時間を短縮する利点がある。塗布後に睫毛に与えられた固形膜は、従来のマスカラ組成物によって得られた膜よりも、かなり高い降伏点を有し、にじみや汚れを起こす可能性が少ない。
【０００６】
上記の点に鑑みると、固形のマスカラ組成物を安全で且つ効果的に睫毛に適用することができるマスカラ製品の需要がある。また、所定の分量でマスカラ組成物を与えることにより、使用者に対して睫毛に適用するための適切な量の組成物が容易に与えることができるようにすることが有用である。
【０００７】
ところで、この分野においては、例えば国際特許公開ＷＯ９９／２２７８２号公報に見られるように、アプリケータブラシとヒータとの組み合わせである睫毛カール装置が提案されている。しかしながら、ここでの塗布ブラシは、容器から取り出した液体乃至半固形のマスカラ組成物を塗布しながら、加熱により睫毛をカールするために設計されている。マスカラ組成物を加熱流動化させる概念及び構造が欠如しているため、本発明で提案しているマスカラ組成物と組み合わせてこの塗布ブラシを使用することは事実上不可能である。このようなマスカラ組成物を最大限利用して、流動化した組成物を睫毛に対して適切にかつ一様に適用するための専用の処理装置が必要とされている。更には、使用時に所定の分量のマスカラ組成物を取り出すための装填手段を備えた処理装置を提供することが望まれている。
先行技術の何れも、本発明の利点や効能を与えるものはない。
【発明の開示】
【０００８】
本発明の化粧製品は、マスカラ組成物と睫毛処理装置とを備えることで、マスカラ組成物を熱により軟化させて睫毛に適用し、睫毛に固形膜を形成するもので、この膜は高い耐久性を有する。この製品はマスカラ組成物の性能を高めるもので、一般の使用者によって安全に使用できる。
このマスカラ組成物は室温で固形であるが、高い温度では軟化して、睫毛に適用される。睫毛処理装置は、マスカラ組成物へ十分な熱を与えるヒータを備える、このヒータは、使用者が誤って装置に瞼や眼球で触れるといった偶発的な状況でも、睫毛に対しては安全である。この睫毛処理装置は、マスカラ組成物を取り込んで、加熱（軟化）させ、これを適用するためのアプリケータを備える。
【０００９】
軟化したマスカラ組成物が睫毛に適用されると、このマスカラ組成物は雰囲気により急速に冷却されて固形化される。このようにして睫毛に適用されたマスカラ組成物は、睫毛を覆う強固な膜を形成し、体温によって軟化することが無く、高い耐久性を与える。
【００１０】
特に、本発明のマスカラ組成物は、特有のレオロジー特性をもたらす固形の疎水性成分を含有することで上記の性能を発揮するものである。この組成物のレオロジー特性は、ＡＳＴＭ（米国材料試験協会）のテスト方式Ｄ５に基づいて測定された針貫通値、降伏応力、及び粘度によって規定される。本発明のマスカラ組成物は、２５℃での針貫通値が約１〜約４０、降伏応力が約１５００Ｐａ、１００℃での粘度が約１ｍＰａｓ〜約１０，０００，０００mPaである。このため、上記のレオロジー特性のマスカラ組成物は、加熱により軟化した状態で睫毛に適用されて、睫毛の上で固形化されて強固な膜を睫毛に形成する。
【００１１】
このマスカラ組成物は、固形の疎水性成分が油相である油混合物として調製することができる。このマスカラ組成物はまた、水や乳化剤が追加された油中水型エマルジョンとしてしてもよい。
【００１２】
更に、この組成物には、美的効果や耐久性を高めるための顔料乃至膜形成ポリマーが付加されることができる。
【００１３】
本発明に係る装置は、特に、マスカラ組成物を軟化させ、睫毛へ一様に適用するために軟化したマスカラ組成物を保持するような構造となるように設計される。この装置は、マスカラ組成物を軟化させるヒーターを備えたアプリケータと、アプリケータの長さに沿って並ぶコームとを備える。コームはアプリケータの長さに沿って並び、軟化したマスカラ組成物で覆われる。これにより、軟化したマスカラ組成物はコームの全長から睫毛へ上手く渡されて、睫毛の上に固形のマスカラフィルムを残す。
【００１４】
本発明の装置には、更に、使用時にマスカラ組成物を所定分量で与えるための装填手段が備えられる。この装填手段はアプリケータに被せるキャップに設けることができる。この装置に所定分量の装填手段を設けることで、使用者は睫毛に対して適切な量の組成物を容易に与えることができる。
【００１５】
この装填手段は、複数のマスカラ個片を保持し、これを一つずつアプリケータに供給することでマスカラ組成物を適切な分量で与えるように構成される。
【００１６】
キャップには、アプリケータに被着される鞘を備え、鞘にはアプリケータに連通する開口が形成される。装填手段には複数の充填室を有するキャリアが備えられ、各充填室にそれぞれマスカラ組成物の個片が保持される。このキャリアは鞘に対して移動自在となり、複数の充填室の一つを、開口へ選択的に合致させることで、上記のマスカラ組成物の個片がこの開口を介してアプリケータへ渡される。
【００１７】
好ましくは、このキャリアは鞘と同軸となり鞘の軸の周りで回転自在なスリーブとして用意される。この場合、スリーブには通常で充填室を閉じる複数のゲートを備えることができ、このゲートが対応する充填室を開くように回転してマスカラ個片を送り出す。
【００１８】
この開口には、常閉弁を備えることができる。この場合、装填手段にはマスカラ個片を押しつけてこの弁を一時的に開いてマスカラ個片をアプリケータへ送り出すためのプランジャが備えられる。
【００１９】
このキャリアは、鞘の軸に直交する垂直軸の周りで回転自在でこの垂直軸の周りに並ぶ複数の充填室を備えたディスクとすることができる。この構成によれば、鞘即ちアプリケータの軸に直交する垂直軸の周りにディスクを回転させるだけで、マスカラ個片を送り出すことができる。
【００２０】
マスカラ個片は、破断可能なシールによって各充填室に保持することができる。これに関連して、装填手段にはマスカラ個片を押しつけてこの破断可能なシールを破ってマスカラ個片をアプリケータへ送り出すためのプランジャが備えられる。破断可能なシールを使用することにより、マスカラ個片は長期に亘って良好な状態に維持される一方、容易にアプリケータに装填できる。
【００２１】
ディスクに形成した充填室は、周方向及び半径方向に沿って離間することで、半径方向に並ぶ充填室の一組が鞘の軸方向に沿って長くなった開口に合致するようにしてもよい。この構成により、２つ以上のマスカラ個片を半径方向に離間した点でアプリケータに送り出すことができる。
【００２２】
マスカラ個片を保持する移動自在のキャリアを使用する代わりに、装填手段には、常閉のフラップ弁を備えた開口に向けてマスカラ個片を直線的に送り出すネジ式ピストンとなったフィーダーを備えることができる。この装填手段には、更に、開口付近のマスカラ個片をフラップ弁に押しつけて、フラップ弁を一時的に開くプランジャが備えられる。このため、フィーダーとプランジャとを組み合わせて操作することによりマスカラ個片を送り出すことができる。
【００２３】
上のネジ式ピストンの代わりに、フィーダーをバネ付勢ピストン形式としてプランジャを押すだけでマスカラ個片を送り出すようにすることができる。
【００２４】
更に、装填手段は、ペレット形状のマスカラ個片を含むホッパーを開口から離れた位置で鞘の一端に形成し、ネジ式コンベアが充填室内に延出してペレットをホッパーから開口へ供給するように構成することもできる。これにより、ネジ式コンベアを操作し、コンベアの移動量を調整することで適切な分量でマスカラ個片を送り出すことができる。
【００２５】
上述した本発明の特徴や利点は、添付される請求の範囲と本発明の開示内容を読み取ることで、当業者におって明白になる。
【発明を実施するための最良の形態】
【００２６】
本明細書の請求の範囲では本発明を明確に指摘しているものであるが、以下の説明から本発明が良く理解できるものと信じる。本発明に係る製品は、マスカラ組成物と睫毛処理装置の組み合わせである。
【００２７】
マスカラ処理装置
図１〜図４に、本発明の好ましい実施形態に係るまあつげ処理装置が示される。本装置は固形のマスカラ組成物を使用する、この組成物は室温、即ち２５℃において固形で、高い温度では軟化して睫毛に適用できる。本明細書中において、マスカラ組成物を記述する「固形」とは、この組成物が所定の硬度を備えてその構造を維持し、応力や剪断力に対して安定であることを意味する。このマスカラ組成物は、２５℃〜１００℃の間で、レオロジーでいうところの遷移変化を起こし、この温度範囲において、睫毛への使用のために組成物が適切に軟化する温度領域やレオロジーが得られる。マスカラ組成物が軟化した状態では、睫毛へ塗布するために十分な流動性を有するが、塗布に際してはアプリケータ上に止まり、塗布後には睫毛上に止まるのに十分な粘性を有する。
【００２８】
本装置は長尺のハンドグリップ１０を備え、軟化したマスカラ組成物を使用者の睫毛に塗布するためのアプリケータ２０がその一端に形成される。アプリケータ２０はハンドグリップ１０の長さにほぼ揃えられた長さを有し、ヒーター４０を備える。ヒーターはアプリケータに装填された後のマスカラ組成物を加熱してこれを軟化させる一方、睫毛を加熱してカールさせる。マスカラ組成物は固形の個片として用意され、アプリケータに着脱自在のキャップ１００に保持される。キャップ１００は、後述するようにマスカラ個片を一つずつアプリケータへ装填、すなわち、送り出すための装填機構を備えるように構成される。
【００２９】
アプリケータ２０は、グリップ１０から一体に延出するヘッド２２と、ヘッド２２に着脱自在のコームアタッチメント３０とで構成される。ヘッド２２は絶縁性プラスチック材料で形成されてヒーター４０を装備する。ヒーターは絶縁材料のＵ字型コア４４の周りに巻回された抵抗コイル４２で形成され、アプリケータ２０の長さ方向に沿って走る縦２列となる。コイル４２は電圧源、即ち、グリップ１０内の電池に接続され、グリップ１０の側面のスイッチハンドル１４を操作することで通電される。コームアタッチメント３０は、絶縁性プラスチック材料で形成され、ヘッド２２上にヒーター４０と伝熱関係の状態で装着され、高温度に加熱されることでマスカラ組成物を軟化させる。コームアタッチメント３０は上面が曲面となり、上面には複数の櫛歯３２がアプリケータ２０の長さ及び幅方向に沿って並ぶコームが設けられ、睫毛を梳きながら軟化したマスカラ組成物を睫毛に塗布する。この上面の幅方向の中央には溝３４が形成されてヒーター４０の上端部を収めると共に、軟化したマスカラ組成物を保持する空間を与える。軟化したマスカラ組成物は、その後、櫛歯に流れ、表面張力の作用によって櫛歯３２を這い上がり、櫛歯で睫毛を梳く際に睫毛に送り出されるように準備される。
【００３０】
動作を説明すると、アプリケータ２０は最初、図２０に示すように、コームアタッチメント３０が睫毛の直ぐ下方となる位置に置かれる。その後、図２１に示すように、アプリケータ２０を持ち上げて幾分か回すことで睫毛を櫛歯３２によって梳き、これによって睫毛を持ち上げながら軟化したマスカラ組成物を睫毛に塗布する。この状態で、コームアタッチメント３０の上面が睫毛に接触して睫毛を加熱してカールさせる。図２２に示すように、アプリケータ２０が睫毛から離されると、軟化したマスカラ組成物は急速に冷やされて固形マスカラ組成物の強固な膜を睫毛に与える。このように、一回の動作でマスカラ膜を形成すると共に睫毛をカールすることができる。
【００３１】
ヒーター４０はコームアタッチメント３０を、約５０℃〜１００℃の温度に加熱してマスカラ組成物を軟化させる。このような高い温度では、軟化したマスカラ組成物は、１ｍＰａｓ〜１０，０００，０００mPaの粘度を示し、睫毛への塗布には十分であるがアプリケータ２０から流れ落ちるのを防いで、マスカラ組成物を安全に塗布することができる。
【００３２】
マスカラ組成物
全ての百分率、分量、比率は、別段の記載が無い限り本発明の組成物の全重量に基づくものとする。成分に関するこのような全ての重量は活性レベルに基づくものであり、従って、市販の材料に含まれる可能性があるキャリアや副生物を含まない。
【００３３】
本発明において有用な活性成分やその他の成分は、化粧乃至治療効能または仮定作用モードに基づいて分類または記載される。しかしながら、ここにおいて有用な活性及びその他の成分は、幾つかの事例において、２つ以上の化粧乃至治療効能を与えたり、或いは２つ以上の作用モードを通じて作用するものである。従って、ここでの分類は便宜上行われており、成分は特定に記述された応用に限定されるものではない。
【００３４】
本発明のマスカラ組成物は、室温、即ち２５℃において固形で、高い温度では軟化して睫毛に適用できる。本明細書中において、マスカラ組成物を記述する「固形」とは、この組成物が所定の硬度を備えてその構造を維持し、応力や剪断力に対して安定であることを意味する。本発明の組成物は、２５℃、好ましくは３５℃において、ＡＳＴＭ（米国材料試験協会）のテスト方式Ｄ５に基づいて測定された針貫通値が、約１〜約４０、降伏応力が約１５００Ｐａである。
【００３５】
ＡＳＴＭのテスト方式Ｄ５に基づく針貫通値の測定は、標準針（２．５ｇで４７．５ｇの針ホルダーに収められ、合計５０ｇ）を組成物に５秒間置いて行われ、この時の深さをミリメータで表す。降伏応力の測定は、流体や半固形物の流動性能及び粘弾性特性を、応力、剪断率、温度の関数として解釈するために振動応力スイープを測定する。本発明においては、ＴＡインスツルメントの流動計ＡＲ−５００で40mmのアルミニウム平行プレート（ギャップ６０mm）を使用して、１Hzで降伏応力を測定した。本発明の組成物は、25℃において、応力や剪断力を受けた状態で降伏点は測定されないことが望ましい。
【００３６】
マスカラ組成物は、加熱されるとレオロジーが変化し、100℃、好ましくは90℃で液体となる点に達する。本明細書において、マスカラ組成物を「液体」と述べる場合は、この組成物が約1mPasから約１０，０００，０００ｍPasの粘性を有することを意味する。本発明のマスカラ組成物は、２５℃〜１００℃の間で、レオロジーでいうところの遷移変化を起こし、この温度範囲において、睫毛への使用のために組成物が適切に軟化する温度領域やレオロジーが得られる。マスカラ組成物が軟化した状態では、組成物を保持した状態でアプリケータを平均的な回数のストロークにより、睫毛へ塗布するために十分な流動性を有するが、塗布に際してはアプリケータ上に止まり、塗布後には睫毛上に止まるのに十分な粘性を有する。組成物が薄すぎたり、水っぽいと、アプリケータ上に保持されることが難しく、睫毛に塗布される組成物の量が少なくなる。
【００３７】
マスカラ組成物は、睫毛処理装置が加熱される温度範囲において適切なレオロジーを与えるようなレオロジー特性を有するように調製される。この温度範囲は、マスカラ組成物の塗布性と睫毛のカール・リフト効能との間に適切なバランスを与えるように選択される。通常、この温度範囲は５０℃〜１００℃とされる。
【００３８】
この組成物の成分は、所望のレオロジー特性を得るように選択される。この組成物は、本発明の本質的な物性を与えるために、少なくとも固形の疎水性成分を有する。この組成物はこの固形の疎水性成分のみで構成することもできる。
【００３９】
この組成物は、主としてワックスを油とする油性混合物や、油中水型エマルジョンの相形態とすることができる。
【００４０】
これに替えて、マスカラ組成物は、少なくとも上述した特有のレオロジー特性を備えた固形の疎水性成分からなる外殻と、所定の粘度を有する内部コアとで構成することできる。このマスカラ組成物は室温で流動性内部コアを覆う固形状態となる。加熱後は、この組成物が凝固する前に適切な結晶化時間が与えられることで、この組成物を睫毛に塗布して固形化するために適切な時間が使用者に与えられる。このような、長い「遊び時間」により、使用は睫毛に所望の形状を与えることができる。
【００４１】
内部コアは１５重量％〜９５重量％の水分を含む水性持続成分とすることができる。このような水性持続相の内部コアは石けんや水で洗い流すことができる。この内部コアはまた、３０重量％〜５０重量％の揮発性液体油を含む油性持続成分とすることができる。
【００４２】
固形疎水性成分
本発明の組成物は、マスカラ組成物に固形性能を与えるために固形の疎水性成分を有する。このような固形疎水性成分は、通常、約２５％〜約１００％のレベルで油性混合物とされるか、約２５％〜約９５％で油中水型エマルジョンとされる。適切な固形疎水性成分はワックスや脂肪である。
【００４３】
ワックスは、低融点有機混合物または高分子量化合物として定義され、室温で固形であり、グリセリドを含まない点を除いて脂肪や油と組成が類似している。幾つかは炭化水素であり、その他は脂肪酸とアルコールとのエステルである。本発明において有用なワックスは、動物性ワックス、植物性ワックス、鉱物性ワックス、合成ワックス、石油ワックス、エチレンポリマー、フィッシャー・トロプシュワックスのような炭化水素タイプ、シリコーンワックス、及びそれらの混合物を含む群から選択され、これらのワックスは２５℃〜１００℃の間で融点を有する。
【００４４】
本発明において有用なワックスは、蜜蝋、ラノリンワックス、シェラックワックス（動物性ワックス）、カルナバ、カンデリラ、ベイベリー（植物性ワックス）、オゾケライトワックス、セラシン（鉱物性ワックス）、パラフィン、微少結晶ワックス（石油ワックス）、ポリエチレン（エチレンポリマー）、ポリエチレンホモポリマー（フィッシャー・トロプシュワックス）、C24―４５アルキルメチコーン（シリコンワックス）及びこれらの混合物から鳴る群から選択される。
【００４５】
非常に好ましい市販のワックスは、Strahl & Pitsch社の商品名「PURESTER 34」によるステアリルパルミテートや、Strahl & Pitsch社の商品名「CERESIN２５２」によるセレシンや、Strahl & Pitsch社の商品名「PARAFFIN SP-673P」、「PARAFFIN ２０６」、「PARAFFIN １９２」によるパラフィンワックスである。
【００４６】
本発明において有用な脂肪は、例えばステアリン酸やパルミチン酸のような高級脂肪酸のグリセルエステルである。このようなエステル及びその混合物は室温で固形であって結晶構造を示す。本発明で使用される脂肪は、動物や植物由来の脂肪、合成脂肪、及びそれらの混合部からなる群から選択され、これらの脂肪は約５５℃〜100℃の間で融点を有する。好ましくは、脂肪は、グリセルモノステアレート、グリセルジステアレート、グリセルトリステアレート、グリコールのパルミテートエステル、C18―３６トリグリセリド、グリセルトリベヘネート、C18-36トリグリセリド酸、及びこれらの混合物からなる群から選択される。
【００４７】
非常に好ましい市販の脂肪は、Gognis Cutina社の商品名「CUTINA GMS-V」によるグリセルモノステアレートである。
【００４８】
顔料
本発明の組成物には、無機顔料、有機顔料、有機レーキ顔料、真珠箔顔料、及びこれらの混合物からなる群から選択される顔料を含むことができる。本発明は、顔料抜きの組成物で構成できるが、このような組成物においても本発明の利点を奏することができる。
【００４９】
顔料を使用する場合、発揮する色や色強度に応じた比率で顔料が含められる。この場合、組成物中の顔料のレベルは約３％〜２５％、好ましくは、５％〜１５％である。顔料は、必要に応じて、シリコン、過フッ素化合物、レシチン、アミノ酸のような処理剤によって表面処理される。
【００５０】
本発明で有用な無機顔料は、ルチル型二酸化チタン、アナターゼ型二酸化チタン（両者とも色指標CI ７７８９１として規定）、黒色、黄色、赤色、鉄酸化物（CI 77499、CI 77492、CI 77491）、ビスマス塩酸化物（CI 77163）、マンガンバイオレット（CI 77742）、ウルトラマリーン（CI 77007）、酸化クロム（CI 77288）、水酸化クロム（CI 77289）、紺青（CI 77510）、酸化亜鉛（CI 77947）、及びこれらの混合物からなる群から選択される。
【００５１】
本発明で有用な無機顔料は、カーボンブラック、染料、及び  D&C赤色6号（CI 15850）、D&C赤色7号（CL15850:1）、D&D赤色21号（CI 45380:2）、D&C赤色22号（CI 45380）、D&C赤色27号（CI 45410:1）、D&C赤色28号（CI 45410）、D&C赤色３０号（CI 73360）、D&C赤色３３号（CI 17200）、D&C赤色３４号（CI 15880:1）、D&C赤色３６号（CI 12085）、D&C橙色４号（CI 15510）、D&C橙色５号（CI 45370:1）、D&C橙色１１号（CI 45425）、FD&C黄色５号（CI 19140）、FD&C黄色６号（CI 15985）、D&C黄色１０号（CI 47005）、FD&C緑色３号（CI 42053）、D&C緑色５号（CI 51570）、FD&C青色１号（CI 42090）、コチニール・カルミン（CI 75470）、グアニン（CI 75170）及びこれらの混合物からなる群から選択されるレーキを含む。
【００５２】
本発明において有用な真珠箔顔料は、二酸化チタン、ビスマス塩酸化物、酸化鉄、紺青、酸化クロム、及び上述の有機顔料を単独または組み合わせて被覆したマイカ（同様のプレート状基材）である。
【００５３】
膜形成ポリマー
本発明の組成物は、耐摩耗性乃至耐移行性を付与するために、膜形成ポリマーを含むことができる。このような材料は通常、約０．５重量％〜約２０重量％、好ましくは、約０．５重量％〜約１０重量％の量が組成物に対して使用される。好ましいポリマーは、石けんのような洗浄剤と共に水を使用することで剥離可能な非粘着フィルムを形成する。膜形成ポリマーは、疎水性または親水性とすることができ、親油性または水性のキャリアとして与えられる。水性キャリアのポリマーを組成物に使用する場合は、油中水型が選択される。親水性ポリマーはまた、油中水型状の組成物となじみがよい。
【００５４】
有用な膜形成ポリマー材料の例を以下に示す。
a)スルフォポリエステル樹脂、例えば、Eastman Chemical社の商品名「AQスルフォポリエステル樹脂」のAQ29D、AQ35S、AQ38D、AQ38S、AQ４８S、AQ55S等、
b)ポリビニルアセテート／ポリビニルアルコールポリマー、例えば、Air Product社の商品名「Vinex樹脂」の「Vinex 2034」、「Vinex 2１４４」、「Vinex 20１９」等、
c)水分散型アクリル樹脂を含むアクリル樹脂、例えば、National Sarchの商品名「Dermacryl」、「Dermacryl LT」,
d)アクリレートやその誘導体ポリマー、例えば、BASF社の商品名「Luvimer」やNoveon社の商品名「Avalure series」、ダイトー化成工業社の商品名「Daitosol5000AD」のアクリレート共重合体、Interpolymer社の商品名「Syntan series」のエチレンスチレン／アクリレート共重合体、Presperse社の商品名「Ultrasol 2075C」のアクリレート／アンモニアメタアクリレート共重合体、Kobo社の商品名「Daitotol SJ」のオクチルアクリレート共重合体、Kobo社の商品名「Daitotol ASC」のアクリレートシリコン共重合体、Noveon社の商品名「Fixate G100 Polymer」のAMP-アクリレート／アリルメタアクリレート共重合体、信越社の商品名「KP545」のアクリレートジメチコーン共重合体、
e)スチレン、例えば、National Starch社の商品名「Flexan」の硫酸ポリスチレンナトリウム、
f)ウレタン、例えば、BASF社の商品名「Luviset PUR」のポリウレタンー１ポリマー、
g)ポリビニルピロリドン（PVP）、例えば、BASF社の商品名「LuviskolK17, K30, K90」、ISP社の商品名「PVP  K-30、PVP K-120」、ISP社の商品名「Ganex WP 660 Resin」のトリコンタニル、PVP/VA  S-630やW-735やISP社の商品名「Copolymer 845」、「Copolymer 937」、「Styleze CC-10」のようなPVP/ジメチルアミノエチルメタアクリレートを含む水溶性共重合体、第一工業製薬社の商品名「VP/DAM」、ISP社の商品名「Styleze2000」のPVP／アクリレート／ラウリルメタアクリレート共重合体、
h)高分子量シリコーン、例えば、ジメチコーンや有機置換ジメチコーン、特に約５０，０００ｍPa以上の粘度を有するもの、
i)高分子量炭化水素ポリマーで約５０，０００ｍPa以上の粘度を有するもの、例えば、ポリブチレン、ポリブチレンテレフタレート、ポリデセン、ポリシクロペンタジエン、及び同様の直鎖状及び分岐高分子量炭化水素、例えば、Presperse社の商品名「Permethyl 97A」のイソシアネート、
j)オルガノシロキサン、例えばオルガノシロキサン樹脂、流動性ジオルガノシロキサンポリマー、シリコーンエステルワックス。
【００５５】
また、本発明で有用なものは、ラテックスポリマーであり、例えば、ISP社の商品名「Ganex V-216(R)」や「Ganex V-２２０(R)」のコポリマー PVP/ヘキサデカンやコポリマー PVP／エイコセン。「Ganex V-216(R)」は、15〜23％のピロリドン単位を平均分子量７３００で有するPVP/ヘキサデカン共重合体である。「Ganex V-２２０(R)」は、20〜28％のピロリドン単位を平均分子量８６００で有するPVP/エイコサン共重合体である。
【００５６】
乳化剤
本発明でのエマルジョン形態の組成物は、乳化剤を含む。この乳化剤は、通常、親油性の界面活性剤であり、好ましくは全組成物に対して１％〜１５％含まれる。本発明での親油性の界面活性剤のHLB値は８未満である。
【００５７】
HLB値は、特定の化合物の疎水性―親水性バランスを示す理論的な指標である。一般に、HLB指標は０（全くの疎水性）から４０（全くの親水性）の範囲にあると認められている。親油性の界面活性剤のHLB値は、本技術分野で知られているテーブルや図表で示されており、次の一般式から計算できる：HLB＝７＋（疎水性基値）＋（親水性基値）。化合物のHLB及びHLBを計算する方式は、界面活性科学シリーズ、第1巻、「非イオン界面活性剤」頁606―１３、M.J.Schick（MarcelDekker Inc., New York, 1966）に詳しく説明されている。
【００５８】
本発明における親油性界面活性剤の種類やレベルは、理論に制約をうけることなく、本発明の他の成分に鑑みて、安定した油中水型エマルジョンを与える。
【００５９】
親油性界面活性剤はエステル型界面活性剤とすることができる。本発明において有用なエステル型界面活性剤は、ソルビタンモノイソステアレート、ソルビタンジイソステアレート、ソルビタンセスキイソステアレート、ソルビタンモノオレアート、ソルビタンジオレアート、ソルビタンセスキオレート、グリセルモノイソステアレート、グリセルジイオステアレート、グリセルセスキイソステアレート、グリセルモノオレアート、グリセルジオレアート、グリセルセスキオレアート、ジグリセリルジイソステアレート、ジグセリルジオレアート、ジグセリンモノイソステアリルエーテル、ジグリセリンジイソステアリルエーテル、及びこれらの混合物を含む。
【００６０】
市販のエステル型の界面活性剤は、例えば、Croda社の商品名「Crill 6」のソルビタンイソステアレートや、Kao Atras社の商品名「Arlacel 83」のソルビタンセスキオレートである。
【００６１】
この親油性界面活性剤はシリコン型界面活性剤とすることができる。本発明において有用なシリコン型界面活性剤は、以下の（i）、（ii）、（iii）で示すもの、或いはこれらの混合物である。
（i）  以下の構造式を有するジメチコーンコポリオール
【００６２】
【化１】
2008520253.tif 000003
【００６３】
上式中のｘは５〜１００の整数、ｙは１〜５０の整数、aはゼロ以上、ｂはゼロ以上、a＋ｂの平均合計は１〜１００。
（ii）  以下の構造式を有するジメチコーンコポリオール
【００６４】
【化２】
2008520253.tif 000004
【００６５】
上式中のRは、水素、メチル、それらの組み合わせからなる群から選択され、ｍは５〜１００の整数、ｘは独立したゼロ以上、ｙは独立したゼロ以上、ｘ＋ｙの合計は１〜１００。
（iii）  以下の構造式を有する分岐ポリエーテルーポリジオルガノシロキサン
【００６６】
【化３】
2008520253.tif 000005
【００６７】
上式中のR１は、約１〜約２０の炭素を有するアルキル基であり、R2は次式で表され、R3は約１〜５の炭素を有するアルキル基、eは約５〜約２０、ｆは約０〜約１０、aは約20〜約１００、ｂは約１〜約１５、ｃは約1から約１５、ｄは約１〜５である。
【００６８】
【化４】
2008520253.tif 000006
【００６９】
上式中のｇは1〜５、ｈは５〜２０。
【００７０】
市販のシリコン型界面活性剤は、例えば、DowCorning社の商品名「DS５２２５C」、「BY22-012」、「BY22-００８」、「SH3746M」、「SH3771M」、「SH3772M」、「SH3773M」、「SH3775M」、「SH3748」、「SH3749」、「DC５２００」のジメチコーンコポリオールや、信越化学社の商品名「KF６０２８」のHLB値が約４で分子量が約６０００であるPEG-9ポリジメチルシロキシエチルヂメチコーンのような分岐ポリエーテルーポリジオルガノシロキサン乳化剤がある。
【００７１】
水
本発明での油中水型形状の組成物は、非連続の水相を形成するのに十分な量、好ましくは、組成物全量に対して、水分が約５０％以下、特に好ましくは、約１０％〜40％の水を含む。水を使用することで、親水性乃至水キャリアベースの膜形成ポリマーや、以下に述べる親水性コンディショニング剤、及びその他の水溶性または水分散性成分を含有させることができる。
【００７２】
本発明においては、通常、脱イオン水が使用される。ミネラルカチオンを含む自然界の水は、製品に望まれる特性に応じて使用することができる。
【００７３】
疎水性コンディショニング剤
本発明の組成物は、更に、疎水性コンディショニング剤を含むことができる。限定するものではないが、疎水性コンディショニング剤としては、鉱物油、ペトロタム、レシチン、水素化レシチン、ラノリン、ラノリン誘導体、C7―C40分岐鎖炭化水素、C1―C３０カルボキシ酸のC1―C20アルコールエステル、C2-C30のジカルボン酸のC1-C30アルコールエステル、C1-C30のカルボン酸のモノグリセライド、C1-C30のカルボン酸のジグリセライド、C1-C30のカルボン酸のトリグリセライド、C1-C30のカルボン酸のエチレングリコールモノエステル、C1-C30のカルボン酸ののエチレングリコールジエステル、C1-C30のカルボン酸のプロピレングリコールモノエステル、C1-C30のカルボン酸のプロピレングリコールジエステル、C1-C30のカルボン酸とショ糖とのモノエステルやポリエステル、ポリジアルキルシロキサン、ポリジアリルシロキサン、３〜９のシリコン原子を有するシクロメチコーン、信越化学社の商品名「KSGシリーズ」のジメチコーン混合物として入手されるビニルジメチコーンクロスポリマーのようなポリシロキサンクロスポリマー、植物性油、水素化植物油、ポリプロピレングリコールC4-C20アルキルエーテル、ジC8-C30アルキルエーテル、及びこれらの組み合わせからなる群から選択される。
【００７４】
親水性コンディショニング剤
本発明の組成物は、更に、親水性のコンディショング剤を含むことができる。限定するものではないが、親水性コンディショング剤としては、多価アルコール、ポリプロピレングリコール、ポリエチレングリコール、尿素、ピロリディンカルボン酸、エトキシレート乃至プロピキシレートC3―C6ジオールやトリオール、アルファーヒドロキシC2―C6カルボン酸、エトキシレート乃至プロピキシレートショ糖、ポリアクリル酸コポリマー、炭素数が１２までのショ糖、炭素数が１２までのショ糖アルコール、及びこれらの混合物からなる群から選択される。
【００７５】
溶剤
本発明の組成物は、本発明の成分を溶解または均一に分散させる揮発性または不揮発性の溶剤を含むことができる。限定するものではないが、この溶剤としては、低級アルコール（例えば、エタノールやイソプロパノール）、プロピレンやブチレングリコールのような二価アルコール、グリセリンのようなポリオール、水アルコール混合物、炭化水素（例えば、イソブタン、ヘキサン、デセン、アセトン）、ハロゲン化炭化水素（フレオンのような）、リナノール、炭化水素エステル（例えば、エチルアセテート、ジブチフタレート）、揮発性シリコン誘導体、特にシロキサン（例えば、フェニルペンタメチルジシロキサン、フェニルエチルペンタメチルジシロキサン、メトキシプロピルヘプタメチルシクロテトラシロキサン、クロロプロピルペンタメチルジシロキサン、ヒドロキシプロピルペンタメチルジシロキサン、オクタメチルシクロテトラシロキサン、デカメチルシクロペンタシロキサン）及びこれらの混合物がある。
【００７６】
付加的な成分
本発明の組成物は、更に、組成物や肌に対して美観や機能的な効能、例えば、外観に関連する感覚的な効能、香りや印象、治療効果、予防効果（上述で必要とされた材料自身がこのような効能を与えるものである）与えるために、製品に従来から使用されている付加的な成分を含むことができる。
【００７７】
CTFA化粧成分ハンドブック、第2版（1992）は、産業において使用されている化粧及び医薬成分を広範囲に亘って、限定されることの無いように記載している。このような材料は、組成物の成分に対する相対的な溶解度に基づいて、この組成物に溶解するか或いは分散される。
【００７８】
適宜の付加的な成分のクラスは、日焼け止め剤、抗セルライト剤、抗酸化剤、遊離基捕捉剤、キレート剤、ビタミン及びその誘導体、研磨剤、他の油吸収剤、アストリンゼント、染料、エッセンシャルオイル、香料、構造化剤、乳化剤、可溶化剤、凝結防止剤、消泡剤、バインダー、緩衝剤、充填剤、変性剤、PH調整剤、発泡剤、還元剤、金属イオン封鎖剤、プロピルパラベン、メチルパラベン、フェノキシエタノール、ベンジルアルコール、EDTAやその塩のような化粧用防菌剤及び保存剤を含む。
【００７９】
付加的な成分
本発明の化粧製品は、パーソナルケアの分野における他の使用形態にも、その使用形態に応じて組成物乃至装置に必要な変更を行うことで、適用される。このような使用形態には、限定されるものではないが、眉毛の着色や処理、髪のトリートメント、スタイリング、脱毛、カラーリング、皮膚の処理、入れ墨、及び爪のカラーリングが例示される。
【００８０】
実施例
以下の実施例は、本発明の範囲内において本発明の好ましい実施形態を更に説明及び実証するものである。この実施例は単に例示するものであり、これらの実施例の変更例は本発明の範囲を逸脱することなく可能であることから、本発明を限定するためのものではない。
【００８１】
実施例C１−C3
実施例C1とC2は油性混合物としてのマスカラ組成物であり、実施例C3は油中水型としてのマスカラ組成物である。各組成物は、３５℃における針貫通値が１−２５であり、３５℃での降伏応力が１５００Pa以上で、90℃での粘度が１ｍPasから１０，０００，０００ｍPaである。このマスカラ組成物は、上述した装置を使用して５０〜８０℃に加熱して睫毛へ適切に塗布される。
【００８２】
組成物
以下の成分をそれぞれ重量％で使用した。
【００８３】
【表１】
2008520253.tif 000007
【００８４】
成分の定義
＊１  グリセルモノステアレートー植物由来：Cognis社のGMS-V
＊２  ステアリルパルミテート：Stahl & Pitsch社のPurester 34
＊３  セラシン  ワックス：Stahl & Pitsch社のCeresin Wax SP-252
＊４  パラフィン  ワックス：Stahl & Pitsch社のParaffin Wax SP637P
＊５  ジメチコーン／ビニルジメチコーンクロスポリマー：信越化学社のKSG16
＊６  トリコンタニルPVP：ISP社のGenex WP-660
＊７  ソルビタンセスキオレート：Croda社のCrill 6
＊８  CI 77499（酸化鉄）とメチコーン：Daito Kasei社のSi Black Iron Oxide
＊９  硫酸ポリスチレンナトリウム：National Starch & Chemical社のFlexan II
【００８５】
調製方法
実施例C1-C3は、当業者に公知の如何なる適切な方法によって調整される。好ましくは、下記の方法によって行われる。
【００８６】
実施例C1
1)成分１−４を８５〜９０℃に加熱し、十分にワックスが溶解した時に低い剪断速度で攪拌する。
2)成分１−４が完全に溶解した後に、成分６と８を加え、約１０分攪拌する。
3)ステップ２の生成物に成分９を加え、分散器により３０分〜１時間で分散させる。
4)ステップ３の生成物を型に注いで、冷却させて凝固させる。
【００８７】
実施例C２
1)成分１−４を８５〜９０℃に加熱し、十分にワックスが溶解した時に低い剪断速度で攪拌する。
2)成分１−４が完全に溶解した後に、成分５を加え、約１０分間攪拌を続ける。
3)ステップ２の生成物に成分６と８を加え、約１０分攪拌を続ける。
4)ステップ３の生成物に成分９を加え、分散器により３０分〜１時間で分散させる。
5)ステップ４の生成物を型に注いで、冷却させて凝固させる。
【００８８】
実施例C３
1)成分１−４を８５〜９０℃に加熱し、十分にワックスが溶解した時に低い剪断速度で攪拌する。
2)成分１０−１５を別に８５〜９０℃で加熱し、低い剪断速度で攪拌する
3)成分１−４が完全に溶解した後に、成分６−８を加え、約１０分間攪拌を続ける。
4)ステップ３の生成物に成分９を加え、分散器２により３０分〜１時間で分散させ、３０分〜１時間攪拌して均一化させる。
5)ステップ４の生成物にステップ２の生成物を加え、低い剪断速度で攪拌する。
6)ステップ５の生成物を適当な剪断速度で１５〜３０分攪拌して、エマルジョン化させる。
7)ステップ６の生成物を型に注いで、冷却させて凝固させる。
【００８９】
実施例C4−C5
実施例C4とC5は、上述のC1の組成物でできた硬質の殻と、以下に示す内部コアとで形成したマスカラ組成物である。C4は水連続相組成物であり、C5は油連続相組成物である。
【００９０】
【表２】
2008520253.tif 000008
【００９１】
マスカラ処理装置の装填機構
本発明に使用する装填機構の詳細を幾つかの実施形態及び変更態様に基づいて説明する。
【００９２】
第１の実施形態＜図５〜７＞
図５〜７には、装填機構をキャップ１００の側に設けた第１の実施形態を示す。キャップ１００は、アプリケータ２０を包囲する鞘１１０とキャリア１２０を備える。鞘１１０に形成された開口１１２は、キャップ１００をアプリケータ２０に被せた時に、アプリケータの幅方向中央に連通する。鞘１１０は非円形の穴１１１を有し、この中でアプリケータ２０がスライド自在であるが回転しないようになっていて、アプリケータ２０の幅方向の中心が常に開口１１２に対向するようになっている。キャリア１２０は鞘１１０と同軸上のスリーブであり、鞘に対して回転自在となる。キャリア１２０には複数の周方向に離間した充填室１２２が形成され、各充填室にマスカラ個片６０が収められる。キャリア１２０は鞘１１０に対して回転自在となって、充填室１２２の一つを選択的に開口に合致させることでマスカラ個片６０を開口１１２を介してアプリケータ２０に落とすものであり、これによってマスカラ個片６０を一つずつアプリケータ２０へ装填する。キャリア１２０は鞘１１０へ回転自在に結合された回転シェル１２４と、充填室１２２の外底を形成するジャケット１２６で構成される。充填室１２２はこのシェル１２４とジャケット１２６との間に形成される。ジャケット１２６はシェル１２４に着脱自在とすれば、ジャケット１２６を外すことでマスカラ個片を補充することができる。
【００９３】
図８と９は、上記の装填機構の変更例を示すもので、ゲート１２７を各充填室１２２に設けたこと以外は上の実施形態と同一である。各ゲート１２７はキャリア１２０の軸方向にスライド自在となり、その一端をキャリア１２０の端部から突出させて操作ノブ１２９を形成している。ゲート１２７には透孔１２８が設けられ、通常は対応する充填室１２２を閉塞する閉位置に維持されてマスカラ個片６０が開口からアプリケータ２０へ落ちるのを防止している。ゲート１２７を軸方向の内側に押し込むと、充填室１２２が開かれてマスカラ個片６０が透孔１２８及び開口１１２を介してアプリケータ２０へ落とされる。これとは別に、キャリア１２０側ではなくて一つのゲートを鞘１１０に設けることも可能である。
【００９４】
図１０は、上記の装填機構の別の変更例を示すもので、マスカラ個片６０を充填室１２２から押し出すプランジャ１１６を設けたこと以外は上の実施形態と同一である。開口１１２には常閉のフラップ弁１１４が備えられ、何れかの充填室１２２が開口１１２に合致したときでも、マスカラ個片６０を充填室１２２内に保持する。プランジャ１１６は鞘１１０の延長部１１３に支持されて鞘１１０に対して半径方向に移動時債となって、その内側の半径方向端部を進め、キャリア１２０の外壁内の穴１２３を介してマスカラ個片６０へ押し込み接触する。プランジャ１１６をバネ１１７に抗して押し込むと、マスカラ個片６０を半径方向の内側に押し込んで、一時的にフラップ弁１１４を開くことで、マスカラ個片６０をアプリケータ２０へ装填する。マスカラ個片６０を装填した後に、プランジャ１１６を離せば、フラップ弁１１４は弾性により閉位置に復帰する。
【００９５】
第２の実施形態＜図１１〜１４＞
図１１〜１４には、装填機構の第２の実施形態を示し、ディスク１３０となったキャリアを設けた点以外は、上述の実施形態と同一である。ディスク１３０は鞘１１０に支持されて、鞘１１０の長手方向軸と直交する軸の周りで鞘に対して回転自在となる。ディスク１３０は、ベース１３１とジャケット１３４とで構成され、これらが互いに結合されてその間にそれぞれがマスカラ個片６０を保持する複数の周方向に離間した充填室１３２を形成する。ディスク１３０は鞘１１０の上端へ一体に突出するスピンドル１１８の周りに配置され、このまわりで回転自在となる。充填室１３２は２列の周方向列に配列され、一方の列での各充填室１３２が他方の列の各充填室１３２に半径方向に沿って並ぶことにより、２つのマスカラ個片６０を同時にアプリケータ２０の長手方向に沿って離れた２箇所へ、鞘１１０の軸方向に沿って長くなった開口１１２を通して、送り出す。充填室１３２はディスク１３０の下面に開放しており、鞘１１０の開口１１２に連通している。鞘１１０にはゲート１３７が付設され、このゲートは鞘１１０の軸に沿ってスライド自在であり、通常は開口１１２に合致する充填室１３２の底を閉じている。ゲート１３７はその長手方向の一端に使用者の指で操作される操作ノブ１３９が形成される。操作ノブ１３９をバネ１３６に抗して押しつけてゲートを半径方向内側に移動させると、ゲートの透孔１３８が充填室１３２に連通し、これによりマスカラ個片６０が透孔１３８と開口１１２を介してアプリケータ２０へ落とし込まれる。
【００９６】
ジャケット１３４の上端にはディスク１３０を回転させるハンドル１３５が形成される。図１４に示すように、鞘の側には、捕捉バネ１１３が設けられて、ディスク１３０の周囲のラッチ突起１３３の何れかへ選択的にラッチ係合して、ディスク１３０にクリック回転運動を付与している。ジャケット１３４はベース１３１に着脱自在とすることができて、マスカラ個片の補充が行える。
【００９７】
図示の実施形態では、２つの充填室が同時に開口に合致することを開示しているが、一つの充填室或いは３つ以上の充填室が開口に合致するようにすることも可能である。
【００９８】
第３の実施形態＜図１５、１６＞
図１５、１６は、装填機構の第３の実施形態を示し、ディスク１４０が鞘１００に対して着脱自在の交換部品として設けられたこと、及び各充填室１４２がその上下両端で破断可能なシール１４３でシールされてマスカラ個片６０を充填室に保持すること以外は、上の第２の実施形態と同一である。ディスク１４０は、シース１１０の周縁に突出するスピンドル１１８の周りに着脱自在に装着されて、鞘１１０の軸と直交する軸の周りで回転自在となる。充填室１４２は周方向に沿って離間し、上下の両端で破断可能なシール１４３、例えばアルミニウム箔、でシールされて、マスカラ個片６０をその中に保持する。鞘１１０には着脱自在のベース１１４が設けられ、鞘１１０の軸と直交する方向に沿って移動自在のプランジャ１１６がベースに支持される。プランジャ１１６をバネ１１７に抗して押しつけると、シール１４３を破ってマスカラ個片６０を充填室１４２から押し出すことになり、これによってマスカラ個片６０は鞘１１０の開口１１２を通してアプリケータ２０へ落とし込まれる。ディスク１４０からマスカラ個片６０が無くなると、マスカラ個片を充填した新たなディスクに交換される。
【００９９】
第４の実施形態＜図１７＞
図１７は、装填機構をキャップ１００の側に設けた第４の実施形態を示す。キャップ１００は、装置を収容する鞘１１０と、管体１５０であるホルダーとを備え、管体はアプリケータ２０の長さに沿って鞘と平行に延びて、この中に一連のマスカラ個片６０を収容する長い充填室１５２を形成する。管体１５０には、その軸方向の一端付近で、周部に取り出し口１５３が形成され、鞘１１０に形成した開口１１２を通して、マスカラ個片６０をアプリケータ２０の上に送り出す。ネジ式ピストン１５５が管体１５０に挿入されてマスカラ個片６０を取り出し口１５３へ進める。管体１５０には、取り出し口１５３と反対側の軸方向の一端に、ダイアル１５７が形成されて、この回転運動がネジ式ピストン１５５の管体１５０内での直線運動に変換される。このため、ダイアル１５７を一方向に回転させることで、ピストン１５５即ちマスカラ個片６０を取り出し口１５３側へ進める。取り出し口１５３にマスカラ個片６０が進むと、開口１１２内に落とされ、常閉のフラップ弁１１４によりここに止められる。プランジャ１１６はこのフラップ弁１１４を一時的に開いてマスカラ個片６０を開口１１２から押し出して、マスカラ個片６０をアプリケータ２０上に落とし込む。プランジャ１１６は鞘の延長部１１３に支持されて管体１５０の軸と直交する方向で移動する。バネ１１７に抗して押し込まれると、プランジャ１１６はその下端を管体１５０と取り出し口１５３内に突出させ、マスカラ個片６０を開口１１２から押し出す。マスカラ個片６０の補給は、ダイアル１５７とピストン１５５を管体１５０から取り外して行われる。管体１５０は複数のマスカラ個片６０を収めた交換部品として鞘１１０に対して着脱自在とすることができる。
【０１００】
図１８は、上の実施形態の変更態様を示し、ネジ式ピストンの代わりにバネ付勢のピストン１５５を用いたこと以外は、第４の実施形態と同一である。ピストン１５６は管体１５０内にバネ１５７と共に収められ、バネはピストン１５５を付勢してマスカラ個片６０を取り出し口１５３へ供給する。端末キャップ１５９が管体１５０の一端にねじ結合されてバネ１５７を支持している。参照を容易とするために、同様の部材については同様の番号で示す。
【０１０１】
第５の実施形態＜図１９＞
図１９は、装填機構をキャップ１００の側に設けた第５の実施形態を示す。キャップ１００は、装置を収容する鞘１１０を備え、鞘１１０の軸に沿って平行に延びる長い充填室１６２を備える。充填室１６２はネジ式コンベア１６４を収容して、ホッパー１６６で供給されるペレット状のマスカラ個片６０を鞘１００の軸方向一端に形成した開口１１２に向けて搬送する。開口１１２はアプリケータ２０の近傍に配置され、マスカラ個片をアプリケータの上に送り出す。ネジ式コンベア１６５は、螺旋フィンを備えた軸１６５で構成され、鞘１１０に支持される。ダイアル１６９が軸１６５に結合されてコンベア１６４を回転させることで、マスカラ個片６０を開口１１２からアプリケータ２０へ送り出す。
【０１０２】
図２３と２４は、上述した種々のマスカラ供給キャップと組み合わされて使用できる睫毛処理装置を示す。同様の部材については参照を容易とするために同様の番号を付記する。この装置はグリップ１０とアプリケータ２０を備え、アプリケータ２０はグリップ１０から一体に延出するヘッド２２と、ヘッド２２へ着脱自在のコームアタッチメント３０とで構成される。ヘッド２２は絶縁性プラスチック材料で形成されてヒータ４０を支持し、ヒーターは絶縁材料のＵ字型コア４４の周りに巻回された抵抗コイル４２で形成され、アプリケータ２０の長さ方向に沿って走る横２列となる。コイル４２は電圧源、即ち、グリップ１０内の電池１２に接続され、グリップ１０の側面のスイッチハンドル１４を操作することで通電される。コームアタッチメント３０は、絶縁性プラスチック材料で形成され、ヘッド２２上にヒーター４０と伝熱関係の状態で装着され、高温度に加熱されることでマスカラ組成物を軟化させる。コームアタッチメント３０は上面が曲面となり、上面には複数の櫛歯３２がアプリケータ２０の長さ及び幅方向に沿って並ぶコームが設けられ、睫毛を梳きながら軟化したマスカラ組成物を睫毛に塗布する。この上面の幅方向の中央には溝３４が形成されてマスカラ個片６０を受け取り、軟化したマスカラ組成物を止める。軟化したマスカラ組成物は、その後、櫛歯に流れ、表面張力の作用によって櫛歯３２を這い上がり、櫛歯で睫毛を梳く際に睫毛に送り出されるように準備される。
【０１０３】
発明の詳細な説明において引用した文献の関連する箇所は本発明に組み込まれるものであり、引用される如何なる文献は、本発明に関してそれば先行技術であると認めるものではない。
【０１０４】
本発明について特有の実施形態を図示と共に記載したが、本発明の範囲を逸脱することなく、種々の変更を行うことは当業者にとって容易である。そのような変更は請求の範囲の範疇である。
【図面の簡単な説明】
【０１０５】
本明細書の請求の範囲では本発明を明確に指摘しているものであるが、好ましい非限定的な実施形態及び、添付図面に関連した表現についての説明に基づいて本発明がより良く理解されるものである。
【図１】本発明の好ましい実施形態に係る睫毛処理装置の分解斜視図。
【図２】同上の装置の正面図。
【図３】アプリケータの上面図。
【図４】アプリケータの断面図。
【図５】マスカラ個片を装填するために同上の装置に適用された本発明の第１の実施形態に係るキャップの分解斜視図。
【図６】同上のキャップの正断面図。
【図７】同上のキャップの側断面図。
【図８】第１の実施形態の変更態様に係るキャップの正断面図。
【図９】第１の実施形態の変更態様に係るキャップの側断面図。
【図１０】第１の実施形態の別の変更態様に係るキャップの正断面図。
【図１１】本発明の第２の実施形態に係るキャップの斜視図。
【図１２】同上のキャップの水平断面図。
【図１３】同上のキャップの正断面図。
【図１４】図１３中のＸ−Ｘ線断面図。
【図１５】本発明の第３の実施形態に係るキャップの水平断面図。
【図１６】本発明の第３の実施形態に係るキャップの正断面図。
【図１７】本発明の第４の実施形態に係るキャップの正断面図。
【図１８】本発明の第４の実施形態の一変更態様に係るキャップの正断面図。
【図１９】本発明の第５の実施形態に係るキャップの正断面図。
【図２０】同上の装置を用いて睫毛をカールさせながらマスカラ組成物を適用する方法を説明する説明図。
【図２１】同上の装置を用いて睫毛をカールさせながらマスカラ組成物を適用する方法を説明する説明図。
【図２２】同上の装置を用いて睫毛をカールさせながらマスカラ組成物を適用する方法を説明する説明図。
【図２３】本発明において同様に使用することができる別の睫毛処理装置の分解斜視図。
【図２４】同上の睫毛処理装置の分解斜視図。
【図２５】同上の装置のアプリケータの部分上面図。
【図２６】同上のアプリケータの断面図。
【図１】
2008520253.tif 000009
【図２】
2008520253.tif 000010
【図３】
2008520253.tif 000011
【図４】
2008520253.tif 000012
【図５】
2008520253.tif 000013
【図６】
2008520253.tif 000014
【図７】
2008520253.tif 000015
【図８】
2008520253.tif 000016
【図９】
2008520253.tif 000017
【図１０】
2008520253.tif 000018
【図１１】
2008520253.tif 000019
【図１２】
2008520253.tif 000020
【図１３】
2008520253.tif 000021
【図１４】
2008520253.tif 000022
【図１５】
2008520253.tif 000023
【図１６】
2008520253.tif 000024
【図１７】
2008520253.tif 000025
【図１８】
2008520253.tif 000026
【図１９】
2008520253.tif 000027
【図２０】
2008520253.tif 000028
【図２１】
2008520253.tif 000029
【図２２】
2008520253.tif 000030
【図２３】
2008520253.tif 000031
【図２４】
2008520253.tif 000032
【図２５】
2008520253.tif 000033
【図２６】
2008520253.tif 000034
【国際調査報告】
2008520253.tif 000035
2008520253.tif 000036